(57)【特許請求の範囲】
【請求項１】
所定のデータ転送クロックに同期したデータにより所定周波数の搬送波信号を変調して変調信号を生成する変調手段と、
前記データ転送クロックの再生基準である同期信号を前記変調信号に加算して記録信号を生成する記録信号生成手段と、
前記記録信号により情報記録媒体に記録用ビームを照射し、前記記録用ビームの照射による情報記録面の変化を形成するビーム照射手段とを備え、
前記変調手段は、
所定の基準信号の周波数に対して整数倍の周波数による複数の正弦波信号及び又は余弦波信号により前記搬送波信号を生成し、
前記複数の正弦波信号及び又は余弦波信号をそれぞれ対応する前記データ転送クロックに同期したビット列により変調して複数の副変調信号を生成し、
前記複数の副変調信号を加算して前記変調信号を生成し、
前記同期信号が、
前記複数の正弦波信号及び又は余弦波信号の周波数より低い周波数であり、かつ前記基準信号の周波数の整数倍の周波数による正弦波信号である
ことを特徴とする情報記録装置。
【請求項２】
前記記録用ビームは、
レーザービームである
ことを特徴とする請求項１に記載の情報記録装置。
【請求項３】
前記記録用ビームは、
電子線ビームである
ことを特徴とする請求項１に記載の情報記録装置。
【請求項４】
前記同期信号は、
前記データ転送クロックに同期した正弦波信号である
ことを特徴とする請求項１に記載の情報記録装置。
【請求項５】
前記同期信号は、
前記搬送波信号に同期した正弦波信号である
ことを特徴とする請求項１に記載の情報記録装置。
【請求項６】
前記同期信号は、
前記搬送波信号による変調信号の振幅に比して振幅が大きく設定された
ことを特徴とする請求項１に記載の情報記録装置。
【請求項７】
所定のデータ転送クロックに同期したデータにより所定周波数の搬送波信号を変調して変調信号が生成され、
前記変調信号に、前記データ転送クロックの再生基準である同期信号が加算されて記録信号が生成され、
前記記録信号に応じた記録用ビームの照射による情報記録面の変化により前記データが記録され、
前記変調信号は、
所定の基準信号の周波数に対して整数倍の周波数による複数の正弦波信号及び又は余弦波信号により前記搬送波信号が生成され、
前記複数の正弦波信号及び又は余弦波信号をそれぞれ対応する前記データ転送クロックに同期したビット列により変調して複数の副変調信号が生成され、
前記複数の副変調信号を加算して生成され、
前記同期信号が、
前記複数の正弦波信号及び又は余弦波信号の周波数より低い周波数であり、かつ前記基準信号の周波数の整数倍の周波数による正弦波信号である
ことを特徴とする情報記録媒体。
【請求項８】
前記情報記録面の変化が、
レーザービームを照射して得られる反射光の変化又は回折光の変化により検出可能とされた
ことを特徴とする請求項７に記載の情報記録媒体。
【請求項９】
前記同期信号は、
前記データ転送クロックに同期した正弦波信号である
ことを特徴とする請求項７に記載の情報記録媒体。
【請求項１０】
前記同期信号は、
前記搬送波信号に同期した正弦波信号である
ことを特徴とする請求項７に記載の情報記録媒体。
【請求項１１】
前記同期信号は、
前記搬送波信号による変調信号の振幅に比して振幅が大きく設定された
ことを特徴とする請求項７に記載の情報記録媒体。
【請求項１２】
情報記録媒体に再生用ビームを照射して前記情報記録媒体に記録されたデータを再生する情報再生装置において、
前記情報記録媒体は、
所定のデータ転送クロックに同期した前記データにより所定周波数の搬送波信号を変調して変調信号が生成され、
前記変調信号に、前記データ転送クロックの再生基準である同期信号が加算されて記録信号が生成され、
前記記録信号に応じた記録用ビームの照射による情報記録面の変化により前記データが記録され、
前記変調信号は、
所定の基準信号の周波数に対して整数倍の周波数による複数の正弦波信号及び余弦波信号により前記搬送波信号が生成され、
前記複数の正弦波信号及び余弦波信号をそれぞれ対応する前記データ転送クロックに同期したビット列により変調して複数の副変調信号が生成され、
前記複数の副変調信号を加算して生成され、
前記同期信号が、
前記複数の正弦波信号及び余弦波信号の周波数より低い周波数であり、かつ前記基準信号の周波数の整数倍の周波数による正弦波信号であり、
前記情報再生装置は、
前記再生用ビームの照射により前記情報記録面の変化に応じて信号レベルが変化する再生信号を検出する再生信号検出手段と、
所定の制御信号に応じて周波数を変化させてクロックを生成するクロック生成手段と、
前記クロックと前記再生信号とを位相比較し、該位相比較結果に基づいて、前記制御信号を生成することにより、前記再生信号に含まれる前記同期信号に前記クロックを同期させる制御信号生成手段と、
前記クロックを基準にして前記再生信号を処理して前記データを再生するデータ再生手段とを備え、
前記制御信号生成手段は、
前記クロックに同期した正弦波信号を生成する正弦波信号生成手段と、
前記正弦波信号に対して９０度位相の異なる余弦波信号を生成する余弦波信号生成手段と、
前記正弦波信号を前記再生信号と乗算して正弦波による乗算結果を出力する正弦波の乗算手段と、
前記余弦波信号を前記再生信号と乗算して余弦波による乗算結果を出力する余弦波の乗算手段と、
前記クロックを基準にして前記正弦波による乗算結果を積分して正弦波による積分結果を出力する正弦波の積分手段と、
前記クロックを基準にして前記余弦波による乗算結果を積分して余弦波による積分結果を出力する余弦波の積分手段と、
前記正弦波及び余弦波による積分結果を比較する比較手段とを備え、
前記比較手段の比較結果により前記制御信号を生成する
ことを特徴とする情報再生装置。
【請求項１３】
前記データ再生手段は、
前記クロックを基準にして所定周波数の復調用基準信号を生成する基準信号生成手段と、
前記復調用基準信号と前記再生信号とを乗算して乗算信号を出力する乗算手段と、
前記クロックを基準にして前記乗算信号を積分して積分結果を出力する積分手段と、
前記クロックを基準にして前記積分結果を順次識別して前記データを再生する識別手段とを有する
ことを特徴とする請求項１２に記載の情報再生装置。
【請求項１４】
前記基準信号生成手段は、
周波数の異なる正弦波信号及び又は余弦波信号により前記復調用基準信号を生成し、
前記乗算手段は、
前記正弦波信号及び又は余弦波信号にそれぞれ前記再生信号を乗算して複数の乗算信号を生成し、
前記積分手段は、
前記複数の乗算信号をそれぞれ積分して複数の積分結果を得、
前記識別手段は、
前記複数の積分結果をそれぞれ識別して複数系統のビット列を得、前記複数系統のビット列により前記データを再生する
ことを特徴とする請求項１３に記載の情報再生装置。
【発明の詳細な説明】
【０００１】
【発明の属する技術分野】
本発明は、情報記録装置、情報記録媒体及び情報再生装置に関し、例えば光ディスク装置及び光ディスクに適用することができる。本発明は、例えば直交する複数系統の搬送波信号を使用して複数系列の変調信号を生成し、この複数系統の変調信号を加算した記録信号によりグルーブ等を変化させて所望のデータを記録する場合に、データ転送クロックの再生基準としての同期信号を記録信号に加算して記録することにより、簡易な構成により記録容量の低下を防止して確実に同期捕捉することができるようにする。
【０００２】
【従来の技術】
従来、コンパクトディスク等の光ディスクにおいては、所定の基準周期を基準にしてピット又はマークを順次形成することにより、所望のデータを記録するようになされている。
【０００３】
すなわちコンパクトディスクの作成工程は、オーディオ信号をサンプリングして得られるオーディオデータに誤り訂正符号（ＥＣＣ:Error Correcting Code）を付加した後、ＥＦＭ(Eight to Fourteen Modulation ）変調して変調信号を生成する。さらにコンパクトディスクの作成工程は、この変調信号によりレーザービ一ムをオンオフ制御してディスク原盤を露光した後、このディスク原盤を現像してマザーディスクを作成し、このマザーディスクを用いてコンパクトディスクを作成する。
【０００４】
これによりコンパクトディスクは、ＥＦＭ変調により８ビット列のデータが１７ビット列のデータに変換された後、シリアルデータ列に変換され、このシリアルデータ列の論理レベルに対応して０．３〔μｍ〕の長さを単位にしてピット又はスペースが順次形成される。
【０００５】
このようにして記録したデータを再生する場合、コンパクトディスクプレーヤーにおいては、コンパクトディスクにレーザービームを照射して得られる戻り光を受光してピット列に応じて信号レベルが変化する再生信号を生成し、この再生信号を２値識別して記録時のシリアルデータに対応する再生データを生成する。
【０００６】
従ってコンパクトディスクプレーヤーにおいては、コンパクトディスクに０．３〔μｍ〕の長さを単位にして形成されたピット及びスペースの長さを識別して再生データを生成することになり、０．３〔μｍ〕の長さに対応する短い時間間隔により再生信号の信号レベルを２値識別してシリアルデータを再生することになる。これによりコンパクトディスクプレーヤーにおいては、瞬間的なノイズの混入により再生データにおける論理レベルが誤って再生される場合がある。
【０００７】
コンパクトディスクプレーヤーにおいて、このような再生データにおけるビット誤りは、記録時に付加された誤り訂正符号により実用上十分な程度に誤り訂正処理される。因みに、ＤＶＤ（Digital Video Disk）においても、このように短い時間間隔により再生信号を２値識別して再生データを生成する点においては、コンパクトディスクプレーヤーと同一である。
【０００８】
このようなノイズによる再生データのビット誤りを低減することができれば、その分この種の光ディスクにおける記録密度を向上することができると考えられる。
【０００９】
このため特開平１１−３１６９５１号公報においては、正弦波信号による搬送波信号を記録に供するデータにより変調して変調信号を生成し、この変調信号によりグルーブを変化させて所望のデータを記録することにより、ノイズによる再生データのビット誤りを低減する方法が提案されるようになされている。
【００１０】
すなわちこの種のノイズは、主にディスク表面のゴミ、埃等により起因すると考えられ、再生信号の比較的低い周波数帯域に集中して現れる。これにより特開平１１−３１６９５１号公報に開示の方法においては、正弦波信号による搬送波信号を記録に供するデータにより変調して変調信号を生成し、この変調信号によりグルーブを変化させて所望のデータを記録する。また再生時、このグルーブの変化を検出して再生信号を生成すると共に、この再生信号の同期検波結果を記録時の１ビットに対応する期間毎に積分して元のデータを再生し、これによりノイズの影響を低減して所望のデータを再生する。
【００１１】
またこのとき直交する複数系統の搬送波信号を使用して複数系列の変調信号によりグルーブを変化させ、これにより記録密度を確保する。この方法によれば、光ディスクにおける信号対雑音比の周波数特性を効率よく利用して所望のデータを記録再生することができ、その結果として光ディスクの情報記録密度を向上することができる。
【００１２】
【発明が解決しようとする課題】
ところがこの方法の場合、再生装置側で同期検波結果を積分することにより、記録時の１ビットに対応する期間毎に、この積分結果をリセットすることが必要になり、このタイミングを検出するために同期信号を伝送することが必要となる。すなわちこのような直交する複数系統の搬送波信号を使用した複数系列の変調信号と共に、同期信号を光ディスクに記録することが必要になる。
【００１３】
一般に、光ディスクにおいては、データ間に間欠的に同期信号を介挿して記録するようになされており、このようにして記録する同期信号においては、記録の頻度が高いほど、再生装置側において、同期の追随性能を高めることができる。しかしながら、同期信号の記録の頻度を高めると、その分データの記録に割り当てる領域が減少することにより、光ディスクの記録容量が低下することになる。
【００１４】
特開平１１−３１６９５１号公報に開示の方法にあっても、データの記録を中断して同期信号を記録したのでは、同期の追随性能を高めようとすると、記録容量が低下してしまう問題がある。
【００１５】
このような問題を解決する１つの方法として、低い頻度で記録された専用の同期パターンにより粗く同期捕捉し、次にデータで変調された信号を復調して得られる位相情報により、高精度に同期捕捉する方法が考えられる。
【００１６】
しかしながらこの方法の場合、光ディスクの記録容量を高くするとはできるものの、再生装置の構成が複雑になる問題がある。またこの方法においては、データにより高精度で同期捕捉するために、同期パターンによる粗い同期捕捉でも、ある程度正確にデータを復号できることが必要であるのに対し、例えば外乱等により、一旦、同期パターンによる同期捕捉の精度が低下すると、データを正しく復号することが困難になることにより、同期精度が著しく低下する恐れがある。
【００１７】
本発明は以上の点を考慮してなされたもので、例えば直交する複数系統の搬送波信号を使用して複数系列の変調信号を生成し、この複数系統の変調信号を加算した記録信号によりグルーブ等を変化させて所望のデータを記録する場合に、簡易な構成により記録容量の低下を防止して確実に同期捕捉することができる情報記録装置、情報記録媒体及び情報再生装置を提案しようとするものである。
【００１８】
【課題を解決するための手段】
かかる課題を解決するため請求項１の発明においては、情報記録装置に適用して、データ転送クロックの再生基準である同期信号を変調信号に加算して記録信号を生成し、この記録信号により情報記録媒体に記録用ビームを照射し、記録用ビームの照射による情報記録面の変化を形成する。また変調手段により、所定の基準信号の周波数に対して整数倍の周波数による複数の正弦波信号及び又は余弦波信号により搬送波信号を生成し、複数の正弦波信号及び又は余弦波信号をそれぞれ対応するデータ転送クロックに同期したビット列により変調して複数の副変調信号を生成し、複数の副変調信号を加算して変調信号を生成する。また同期信号が、複数の正弦波信号及び又は余弦波信号の周波数より低い周波数であり、かつ基準信号の周波数の整数倍の周波数による正弦波信号であるようにする。
【００１９】
また請求項７の発明においては、情報記録媒体に適用して、変調信号に、データ転送クロックの再生基準である同期信号が加算され記録信号が生成され、この記録信号に応じた記録用ビームの照射による情報記録面の変化によりデータが記録されてなるようにする。また変調手段により、所定の基準信号の周波数に対して整数倍の周波数による複数の正弦波信号及び又は余弦波信号により搬送波信号を生成し、複数の正弦波信号及び又は余弦波信号をそれぞれ対応するデータ転送クロックに同期したビット列により変調して複数の副変調信号を生成し、複数の副変調信号を加算して変調信号を生成する。また同期信号が、複数の正弦波信号及び又は余弦波信号の周波数より低い周波数であり、かつ基準信号の周波数の整数倍の周波数による正弦波信号であるようにする。
【００２０】
また請求項１２の発明においては、情報再生装置に適用して、変調信号に、データ転送クロックの再生基準である同期信号が加算されて記録信号が生成され、この記録信号に応じた記録用ビームの照射による情報記録面の変化によりデータが記録されてなる情報記録媒体に対して、制御信号に応じて周波数を変化させてクロックを生成し、このクロックと再生信号とを位相比較し、該位相比較結果に基づいて、制御信号を生成することにより、再生信号に含まれる同期信号にクロックを同期させる。このとき記録媒体は、変調手段により、所定の基準信号の周波数に対して整数倍の周波数による複数の正弦波信号及び余弦波信号により搬送波信号を生成し、複数の正弦波信号及び余弦波信号をそれぞれ対応するデータ転送クロックに同期したビット列により変調して複数の副変調信号を生成し、複数の副変調信号を加算して変調信号が生成されているようにする。また同期信号は、複数の正弦波信号及び余弦波信号の周波数より低い周波数であり、かつ基準信号の周波数の整数倍の周波数による正弦波信号であるようにする。ここでクロックの生成に係る制御信号生成手段は、クロックに同期した正弦波信号を生成する正弦波信号生成手段と、正弦波信号に対して９０度位相の異なる余弦波信号を生成する余弦波信号生成手段と、正弦波信号を再生信号と乗算して正弦波による乗算結果を出力する正弦波の乗算手段と、余弦波信号を再生信号と乗算して余弦波による乗算結果を出力する余弦波の乗算手段と、クロックを基準にして正弦波による乗算結果を積分して正弦波による積分結果を出力する正弦波の積分手段と、クロックを基準にして余弦波による乗算結果を積分して余弦波による積分結果を出力する余弦波の積分手段と、正弦波及び余弦波による積分結果を比較する比較手段とを備え、比較手段の比較結果により制御信号を生成する。
【００２１】
請求項１の構成によれば、精度良く再生可能に記録信号に同期信号を多重化して記録することができ、これによりデータの記録を中断して同期信号を記録する場合のような記録容量の低下を防止して、簡易な構成により確実に同期捕捉することができる。
【００２２】
また請求項７の構成によれば、同期信号においては精度良く再生可能に記録信号に多重化されて記録され、これによりデータの記録を中断して同期信号を記録する場合のような記録容量の低下を防止して、簡易な構成により確実に同期捕捉することができる。
【００２３】
また請求項１２の構成によれば、記録信号に多重化されて記録された同期信号を基準にしてクロックを再生でき、これによりデータの記録を中断して同期信号を記録する場合のような記録容量の低下を防止して、簡易な構成により確実に同期捕捉することができる。
【００２４】
【発明の実施の形態】
以下、適宜図面を参照しながら本発明の実施の形態を詳述する。
【００２５】
（１）実施の形態の構成
図２は、本発明の実施の形態に係る光ディスク装置を示すブロック図である。この光ディスク装置１は、ディスク原盤２に照射するレーザービームＬ１の変調により、情報源３より供給されるディジタル情報ＤＩＮＦＯをディスク原盤２に記録する。
【００２６】
光ディスクの製造工程では、このようにしてディジタル情報ＤＩＮＦＯを記録したディスク原盤２を現像した後、電鋳処理することにより、マザーディスクを作成し、このマザーディスクよりスタンパーを作成する。さらに光ディスクの製造工程では、このようにして作成したスタンパーよりディスク状基板を作成し、このディスク状基板に反射膜、保護膜を形成して光ディスクを作成する。
【００２７】
ここで情報源３は、例えばディジタルテープレコーダー等により構成され、所定ビット数によるパラレルデータによりディジタルオーディオ信号、ディジタルビデオ信号等によるディジタル情報ＤＩＮＦＯを出力する。
【００２８】
この光ディスク装置１において、ビット数変換回路４は、このディジタル情報ＤＩＮＦＯを４ビットごとに分割し、４ビットのパラレルのディジタル信号ＤＤ０〜ＤＤ３を出力する。記録信号生成回路５は、このディジタル信号ＤＤ０〜ＤＤ３に応じて連続的に信号レベルが変化する記録信号ＲＳを生成して出力する。
【００２９】
レーザー光源６は、例えばガスレーザー等により構成され、レーザービームＬ０を射出する。光変調器７は、例えばＡＯＭ(Acoustic Optical Modulator)で構成され、記録信号生成回路５から出力される記録信号ＲＳに応じてレーザービームを強度変調して出力する。
【００３０】
このようにして記録信号ＲＳにより強度変調されるレーザービームＬ１は、図示しないミラーによりディスク原盤２に向けて光路が折り曲げられ、対物レンズ８によりディスク原盤２に集光される。これらミラー及び対物レンズ８は、図示しないスレッド機構により、ディスク原盤２の回転に同期してディスク原盤２の内周側より外周側に順次移動し、これにより光ディスク装置１は、レーザービームＬ１による露光位置を順次ディスク原盤２の外周方向に変位させる。
【００３１】
スピンドルモーター１０は、ディスク原盤２を回転駆動し、底部に保持したＦＧ信号発生回路より、所定の回転角毎に信号レベルが立ち上がるＦＧ信号ＦＧを出力する。スピンドルサーボ回路１１は、ディスク原盤２の露光位置に応じてこのＦＧ信号ＦＧの周波数が所定の周波数になるようにスピンドルモーター１０を駆動し、これによりディスク原盤２を所定の回転数により回転駆動する。
【００３２】
これによりディスク原盤２は、レーザービームＬ１の照射軌跡がスパイラル状に形成され、この露光軌跡よりグルーブが形成される。さらに露光の処理において、レーザービームＬ１がディジタル信号ＤＤ０〜ＤＤ３に応じて連続的に信号レベルが変化する記録信号ＲＳにより強度変調されていることにより、情報記録面の連続的な変化であるグルーブの幅の変化によりディジタル情報ＤＩＮＦＯが記録されるようになされている。
【００３３】
図１は、記録信号生成回路５を示すブロック図である。この記録信号生成回路５において、発振器１３は、周波数ｆ０によるディジタル信号ＤＤ０〜ＤＤ３のデータ転送クロックＣＫ１を生成して出力する。かくするにつきディジタル信号ＤＤ０〜ＤＤ３は、このデータ転送クロックＣＫ１に同期してこの記録信号生成回路５に入力されることになる。
【００３４】
レベル変換回路（ＬＴ）１４Ａ〜１４Ｄは、このデータ転送クロックＣＫ１を基準にしてディジタル信号ＤＤ０〜ＤＤ３の各ビットをラッチし、ＴＴＬレベルによる各ビットの信号レベルが、０〔Ｖ〕を中心とした所定の負側電圧及び正側電圧の間で変化するように、ディジタル信号ＤＤ０〜ＤＤ３の信号レベルを変換して出力する。なおこの実施の形態では、この負側電圧及び正側電圧がそれぞれ−１〔Ｖ〕及び１〔Ｖ〕に設定される。
【００３５】
副搬送波生成回路１５Ａ及び１５Ｂは、例えばデータ転送クロックＣＫ１を基準にして動作するＰＬＬ（Phase Locked Loop ）回路と低域通過フィルタとで構成され、データ転送クロックＣＫ１がローレベルからハイレベルに変化するタイミングをｔ＝０とおいて、それぞれ次式により表されるデータ転送クロックＣＫ１の周波数ｆ０の２倍の周波数ｆ１の正弦波信号ＳＣ１及び余弦波信号ＳＣ２を生成する。
【００３６】
【数１】
0004337223.tif 000002
【００３７】
副搬送波生成回路１６Ａ及び１６Ｂは、例えばデータ転送クロックＣＫ１を基準にして動作するＰＬＬ（Phase Locked Loop ）回路と低域通過フィルタとで構成され、データ転送クロックＣＫ１がローレベルからハイレベルに変化するタイミングをｔ＝０とおいて、それぞれ次式により表されるデータ転送クロックＣＫ１の周波数ｆ０の３倍の周波数ｆ２の正弦波信号ＳＣ３及び余弦波信号ＳＣ４を生成して出力する。
【００３８】
【数２】
0004337223.tif 000003
【００３９】
乗算回路１７Ａは、レベル変換回路１４Ａの出力信号と正弦波信号ＳＣ１とを乗算することにより、ディジタル信号ＤＤ０〜ＤＤ３の最下位ビットＤＤ０の振幅変調信号Ｍ１を生成して出力する。乗算回路１７Ｂは、レベル変換回路１４Ｂの出力信号と余弦波信号ＳＣ２とを乗算することにより、乗算回路１７Ａによる振幅変調信号に対して、狭義の直交した関係となるディジタル信号ＤＤ０〜ＤＤ３の最下位から１ビット目のビットＤＤ１の振幅変調信号Ｍ２を生成して出力する。
【００４０】
乗算回路１８Ａは、レベル変換回路１４Ｃの出力信号と正弦波信号ＳＣ３とを乗算することにより、ディジタル信号ＤＤ０〜ＤＤ３の下位側２ビット目のビットＤＤ２の振幅変調信号Ｍ３を生成して出力する。乗算回路１８Ｂは、レベル変換回路１４Ｄの出力信号と余弦波信号ＳＣ４とを乗算することにより、乗算回路１８Ａによる振幅変調信号に対して、狭義の直交した関係となるディジタル信号ＤＤ０〜ＤＤ３の最上位ビットＤＤ３の振幅変調信号Ｍ４を生成して出力する。
【００４１】
これらにより乗算回路１７Ａ〜１８Ｂより出力される振幅変調信号Ｍ１〜Ｍ４は、それぞれ次式により示されることになる。なおここでＡ１〜Ａ４は、それぞれビットＤＤ０〜ＤＤ３の論理値に対応する値１又は値−１の定数である。
【００４２】
【数３】
0004337223.tif 000004
【００４３】
加算回路１９は、キャリア周波数ｆ１による直交する関係である乗算回路１７Ａ及び１７Ｂの変調信号Ｍ１及びＭ２を加算し、これにより直交変調による変調信号ＭＡを出力する。また加算回路２０は、キャリア周波数ｆ２による直交する関係である乗算回路１８Ａ及び１８Ｂの変調信号Ｍ３及びＭ４を加算し、これにより直交変調による変調信号ＭＢを出力する。
【００４４】
これらにより変調信号ＭＡ及びＭＢは、それぞれディジタル信号ＤＤ０〜ＤＤ３のビットＤＤ０、ＤＤ１及びＤＤ２、ＤＤ３の論理値に応じて、元の正弦波信号ＳＣ１、ＳＣ３に対して、位相が４５度、１３５度、２２５度、３１５度にキーイングされて出力されることになり、また振幅も元の正弦波信号ＳＣ１、ＳＣ３の２1/2 となって出力されることになる。
【００４５】
同期信号生成回路２３は、例えば低域通過フィルタで構成され、発振器１３から出力されるデータ転送クロックＣＫ１の高調波成分を除去することにより、周波数ｆ０の正弦波である同期信号ＳＹＮＣを生成する。さらにこのとき同期信号生成回路２３は、変調信号ＭＡ及びＭＢの振幅に比して同期信号ＳＹＮＣの振幅が大きくなるように、この同期信号を生成し、これによりデータ転送クロックＣＫ１がローレベルからハイレベルに変化するタイミングをｔ＝０とおいて、次式で示す同期信号ＳＹＮＣを続く加算回路２２に出力する。なおここでは、同期信号ＳＹＮＣの振幅を（３）式との対比により値１０と置く。
【００４６】
【数４】
0004337223.tif 000005
【００４７】
加算回路２２は、これら加算回路１９及び２０による加算信号ＭＡ及びＭＢ、同期信号ＳＹＮＣを加算して出力する。
【００４８】
信号レベル補正回路２４は、光変調器７より出力されるレーザービームＬ１の光量がこのようにして得られる加算回路２２の出力信号レベルに比例するように、加算回路２２の出力信号レベルを補正して記録信号ＲＳを生成する。具体的に、信号レベル補正回路２４は、光変調器７の非線型性を補うように、また加算回路２２の出力信号におけるボトム値でレーザービームＬ１がほぼ完全に遮光されるように、所定利得ＡＡにより加算回路２２の出力信号を増幅してオフセット電圧ＢＢを与える。これにより信号レベル補正回路２４は、次式により表される記録信号ＲＳを出力する。
【００４９】
【数５】
0004337223.tif 000006
【００５０】
図３は、このようにして露光したディスク原盤２より作成される光ディスクを示す斜視図である。ディスク原盤２においては、正弦波信号、余弦波信号を搬送波信号にしてなる記録信号ＲＳによりレーザービームＬ１の光量が変調されて露光されることにより、レーザービームＬ１の光量に応じた幅による連続した露光軌跡が情報記録面の変化としてディジタル情報ＤＩＮＦＯの記録により形成される。これにより光ディスク３０は、この露光軌跡に対応するグルーブがらせん状に形成され、このグルーブの幅が記録信号ＲＳに応じて変化するように形成される。これにより光ディスク３０は、レーザービームＬ１の照射による情報記録面の連続的な変化がグルーブにより形成されてディジタル情報ＤＩＮＦＯが記録されることになる。
【００５１】
図４は、この光ディスク３０を再生する光ディスク装置を示すブロック図である。光ディスク装置３１において、スピンドルモーター３２は、光ディスク３０を回転駆動し、底部に保持したＦＧ信号発生回路より、所定の回転角毎に信号レベルが立ち上がるＦＧ信号ＦＧ２を出力する。スピンドルサーボ回路３３は、光ディスク３０に対する光ピックアップ３４によるレーザービーム照射位置に応じてこのＦＧ信号ＦＧ２の周波数が所定の周波数になるようにスピンドルモーター３２を駆動し、これにより光ディスク３０を所定の回転数により回転駆動する。
【００５２】
光ピックアップ３４は、コンパクトディスクプレーヤー等に適用されるいわゆる３ビーム方式の光ピックアップであり、半導体レーザーのレーザービームから回折格子により−１次、０次、＋１次の回折光を生成し、対物レンズによりこれらの回折光を光ディスク３０に集光する。光ピックアップ３４は、これらの回折光の戻り光を所定の受光素子により受光し、その受光結果を電流電圧変換処理してマトリックス演算することにより、グルーブの中心であるトラックセンターに対するトラッキングエラー量に応じて信号レベルが変化するトラッキングエラー信号ＴＥ、フォーカスエラー量に応じて信号レベルが変化するフォーカスエラー信号ＦＥ、グルーブの幅に応じて信号レベルが変化する再生信号ＳＵを出力する。
【００５３】
２軸サーボ回路３５は、光ピックアップ３４から出力されるトラッキングエラー信号ＴＥ、フォーカスエラー信号ＦＥにより光ピックアップ３４の対物レンズを可動し、これによりトラッキング制御、フォーカス制御の処理を実行する。
【００５４】
再生信号補正回路３６は、光ピックアップ３４から出力される再生信号ＳＵから直流成分を除去することにより、信号レベル補正回路２４で付加したバイアス電圧に対応する成分を除去した後、所定の利得により増幅し、これにより（３）〜（５）式との対比により次式で表される再生信号ＧＲＦを出力する。なおここでＡＳは、振幅を表す定数である。
【００５５】
【数６】
0004337223.tif 000007
【００５６】
同期信号再生回路３７は、このようにして得られる再生信号ＧＲＦからデータ転送クロックＣＫ１を再生して出力し、データ再生回路３８は、このデータ転送クロックＣＫ１を基準にした再生信号ＧＲＦの信号処理によりディジタル情報ＤＩＮＦＯを再生して出力する。
【００５７】
図５は、同期信号再生回路３７を示すブロック図である。同期信号再生回路３７は、ＰＬＬ（Phase Locked Loop ）回路により構成される。すなわち同期信号再生回路３７において、電圧制御型発振回路（ＶＣＯ：Voltage Controlled Oscillator ）４０は、制御電圧ＶＣに応じて周波数を可変してデータ転送クロックＣＫ１を生成して出力し、位相検出回路４１は、再生信号ＧＲＦ中に含まれる同期信号と、データ転送クロックＣＫ１との位相差を検出し、検出結果を位相差信号ＰＥとして出力する。ループフィルタ４２は、位相差信号ＰＥを帯域制限すると共に所定利得により増幅して制御電圧ＶＣを生成し、この制御電圧ＶＣを電圧制御型発振回路４０に出力する。これにより同期信号再生回路３７は、再生信号ＧＲＦ中に含まれる同期信号にデータ転送クロックＣＫ１が同期するようにフィードバックループを構成してデータ転送クロックＣＫ１を再生する。
【００５８】
このため位相検出回路４１において、正弦波信号生成回路４５は、データ転送クロックＣＫ１を帯域制限することにより、データ転送クロックＣＫ１が再生信号ＧＲＦの同期信号に同期していることを前提として、データ転送クロックＣＫ１の信号レベルが立ち上がるタイミングを時点ｔ＝０とおいて、次式による表される正弦波信号ＣＣ１を生成する。
【００５９】
【数７】
0004337223.tif 000008
【００６０】
同様に余弦波信号生成回路４６は、データ転送クロックＣＫ１に対して１／４位相だけ位相ずれしてなる矩形波信号を帯域制限することにより、データ転送クロックＣＫ１が再生信号ＧＲＦの同期信号に同期していることを前提として、データ転送クロックＣＫ１の信号レベルが立ち上がるタイミングを時点ｔ＝０とおいて、次式による表される余弦波信号ＣＣ２を生成する。
【００６１】
【数８】
0004337223.tif 000009
【００６２】
乗算回路４７及び４８は、それぞれ正弦波信号ＣＣ１及び余弦波信号ＣＣ２を再生信号ＧＲＦと乗算し、積分回路４９及び５０は、乗算回路４７及び４８の乗算結果を積分して出力する。これにより乗算回路４７及び積分回路４９、乗算回路４８及び積分回路５９は、それぞれ同期検波回路を構成し、それぞれ再生信号ＧＲＦに含まれてなる正弦波信号ＣＣ１、余弦波信号ＣＣ２と同相成分を検出して出力する。なお積分回路４９及び５０は、データ転送クロックＣＫ１の周期でリセットされ、これにより積分値が所定値以上に増大しないようになされている。
【００６３】
すなわち正弦波信号ＣＣ１と再生信号ＧＲＦ中に含まれる同期信号成分との位相差をΔθとおくと、位相差Δθに対応する時間誤差Δｔは、次式で表される。
【００６４】
【数９】
0004337223.tif 000010
【００６５】
ここで、データ転送クロックＣＫ１の信号レベルが立ち上がるタイミングを時点ｔ＝０とおくと、積分回路４９による積分結果ＰＳは、次式により表される。
【００６６】
【数１０】
0004337223.tif 000011
【００６７】
ここで周波数ｆ１、ｆ２は、データ転送クロックＣＫ１が再生信号ＧＲＦの同期信号に同期している場合には、データ転送クロックＣＫ１の周波数ｆ０の整数倍であることにより、積分区間中において定数Ａ１〜Ａ４が一定であり、かつ積分区間がデータ転送クロックＣＫ１の整数倍周期の場合、（１０）式における右辺第１項〜第４項の積分結果は値０となる。またノイズ等により積分区間中で定数Ａ１〜Ａ４が変化した場合でも、（１０）式の右辺第１項〜第４項の積分結果は、右辺、第５項の積分結果に比較して実用上十分に小さな値として観察される。これにより（１０）式は、次式のように近似することができる。但し、Ｔ０は、積分による一定の定数である。
【００６８】
【数１１】
0004337223.tif 000012
【００６９】
これにより積分回路４９の積分結果ＰＳにおいては、再生信号ＧＲＦに含まれる正弦波信号ＣＣ１と同相の信号レベルを検出することになる。これに対して積分回路５０の積分結果ＰＣは、同様に、次式により表される。
【００７０】
【数１２】
0004337223.tif 000013
【００７１】
これにより正弦波信号ＣＣ１の場合と同様に、（１２）式は、次式に示すように近似でき、これにより積分回路５０の積分結果ＰＣにおいては、再生信号ＧＲＦに含まれる余弦波信号ＣＣ２と同相の信号レベルを検出することになる。
【００７２】
【数１３】
0004337223.tif 000014
【００７３】
位相比較回路５１は、積分結果ＰＳ、ＰＣから逆正接を求め、位相差信号ＰＥとして出力する。すなわち位相差信号ＰＥは、次式により表される。
【００７４】
【数１４】
0004337223.tif 000015
【００７５】
これにより位相差信号ＰＥは、再生信号ＧＲＦ中に含まれる同期信号と、データ転送クロックＣＫ１との位相差を示すことになる。これにより同期信号再生回路３７は、この位相差信号ＰＥが０レベルになるようにフィードバックループを形成して、再生信号ＧＲＦ中に含まれる同期信号にデータ転送クロックＣＫ１を同期させるようになされている。
【００７６】
図６は、データ再生回路３８を示すブロック図である。副搬送波生成回路６０Ａ及び６０Ｂは、例えばＰＬＬ（Phase Locked Loop ）回路で構成され、データ転送クロックＣＫ１を基準にして、データ転送クロックＣＫ１の信号レベルが立ち上がるタイミングを時点ｔ＝０とおいて、次式により表される周波数ｆ１の正弦波信号ＳＷ１及び余弦波信号ＳＷ２をそれぞれ生成して出力する。
【００７７】
【数１５】
0004337223.tif 000016
【００７８】
乗算回路６１Ａ及び６１Ｂは、それぞれ正弦波信号ＳＷ１及び余弦波信号ＳＷ２と再生信号ＧＲＦと乗算する。積分回路６２Ａ及び６２Ｂは、データ転送クロックＣＫ１によりリセットされて、乗算回路６１Ａ及び６１Ｂの乗算結果を積分して出力する。これにより乗算回路６１Ａ及び積分回路６２Ａ、乗算回路６１Ｂ及び積分回路６２Ｂは、それぞれ同期検波回路を構成し、それぞれ再生信号ＧＲＦに含まれてなる正弦波信号ＳＷ１、余弦波信号ＳＷ２と同相成分を検出して出力する。これにより積分回路６２Ａ及び６２Ｂは、それぞれ次式により表される積分結果ｄｅｍ１及びｄｅｍ２を出力する。
【００７９】
【数１６】
0004337223.tif 000017
【００８０】
【数１７】
0004337223.tif 000018
【００８１】
かくするにつきＡ１及びＡ２は、それぞれディジタル信号ＤＤ０〜ＤＤ４のビットＤＤ０、ＤＤ１の論理値に対応する値１又は値−１の定数であることから、積分結果ｄｅｍ１及びｄｅｍ２においては、これら下位側２ビットの論理値を示すことが判る。
【００８２】
レベル変換回路（ＬＴ）６４Ａ及び６４Ｂは、それぞれ積分結果ｄｅｍ１及びｄｅｍ２の信号レベルをＴＴＬレベルに変換して出力する。
【００８３】
副搬送波生成回路６５Ａ及び６５Ｂは、例えばＰＬＬ回路で構成され、データ転送クロックＣＫ１を基準にして、データ転送クロックＣＫ１の信号レベルが立ち上がるタイミングを時点ｔ＝０とおいて、次式により表される周波数ｆ１の正弦波信号ＳＷ３及び余弦波信号ＳＷ４をそれぞれ生成して出力する。
【００８４】
【数１８】
0004337223.tif 000019
【００８５】
乗算回路６６Ａ及び６６Ｂは、それぞれ正弦波信号ＳＷ３及び余弦波信号ＳＷ４と再生信号ＧＲＦと乗算する。積分回路６７Ａ及び６７Ｂは、データ転送クロックＣＫ１によりリセットされて、乗算回路６６Ａ及び６６Ｂの乗算結果を積分して出力する。これにより乗算回路６６Ａ及び積分回路６７Ａ、乗算回路６６Ｂ及び積分回路６７Ｂは、それぞれ同期検波回路を構成し、それぞれ再生信号ＧＲＦに含まれてなる正弦波信号ＳＷ３、余弦波信号ＳＷ４と同相成分を検出して出力する。これにより積分回路６７Ａ及び６７Ｂは、それぞれ次式により表される積分結果ｄｅｍ３及びｄｅｍ４を出力する。
【００８６】
【数１９】
0004337223.tif 000020
【００８７】
【数２０】
0004337223.tif 000021
【００８８】
レベル変換回路（ＬＴ）６８Ａ及び６８Ｂは、それぞれ積分結果ｄｅｍ３及びｄｅｍ４の信号レベルをＴＴＬレベルに変換して出力する。
【００８９】
ビット数変換回路６９は、レベル変換回路６４Ａ〜６８Ｂの出力信号をデータ転送クロックＣＫ１を基準にして順次ラッチして４ビットパラレルのデータを再生する。さらにビット数変換回路６９は、光ディスク装置１におけるビット数変換回路６９とは逆に、この４ビットパラレルのデータを元の配列に戻し、これによりディジタル情報ＤＩＮＦＯを再生して出力する。
【００９０】
（２）実施の形態の動作
以上の構成において、情報源３より出力されるディジタル情報ＤＩＮＦＯは（図２）、ビット数変換回路４において４ビットパラレルのディジタル信号ＤＤ０〜ＤＤ３に変換される。このディジタル信号ＤＤ０〜ＤＤ３は（図１）、データ転送クロックＣＫ１に同期したタイミングにより順次続く記録信号生成回路５に入力され、ここでレベル変換回路１４Ａ〜１４Ｄによりそれぞれ０レベルを基準にして信号レベルが変化するように信号レベルが補正される。
【００９１】
記録信号生成回路５においては、データ転送クロックＣＫ１を基準にして、このデータ転送クロックＣＫ１の周波数ｆ０の２倍及び３倍の周波数ｆ１及びｆ２であって、データ転送クロックＣＫ１に対して所定の位相関係に保持された正弦波信号ＳＣ１及びＳＣ３、余弦波信号ＳＣ２及びＳＣ４が生成され、乗算回路１７Ａ〜１７Ｄにおいて、これらの正弦波信号及び余弦波信号ＳＣ１〜ＳＣ４にそれぞれレベル変換回路１４Ａ〜１４Ｄの出力信号が乗算される。
【００９２】
これにより記録信号生成回路５においては、周波数ｆ１、ｆ２の正弦波信号及び余弦波信号ＳＣ１〜ＳＣ４による４つの搬送波をそれぞれ搬送波として使用して、ディジタル信号ＤＤ０〜ＤＤ３の各ビット列により各搬送波をキーイングし、ディジタル信号ＤＤ０〜ＤＤ３の各ビット列による振幅変調信号Ｍ１〜Ｍ４が生成される。
【００９３】
記録信号生成回路５においては、それぞれ加算回路１９及び２０において、同一キャリア周波数に係る変調信号Ｍ１及びＭ２、Ｍ３及びＭ４が加算され、これによりベクトル合成に係る直交振幅変調信号ＭＡ及びＭＢが生成される。さらにこれら変調信号ＭＡ及びＭＢが加算回路２２で加算されて多重化に係る変調信号が生成され、ボトム値が０レベルとなって信号レベルが変化するように、また光変調器７の非線型性を補うように、この変調信号の信号レベルが信号レベル補正回路２４により補正されて記録信号ＲＳが生成される。
【００９４】
このとき記録信号生成回路５は、データ転送クロックＣＫ１と一定の位相関係に保持され（すなわちデータ転送クロックＣＫ１を介して正弦波信号及び余弦波信号ＳＣ１〜ＳＣ４と一定の位相関係に保持され）、かつデータ転送クロックＣＫ１と同一周波数ｆ０による正弦波信号が同期信号生成回路２３で生成され、この正弦波信号が同期信号ＳＹＮＣとして加算回路２２により変調信号に重畳される。これにより光ディスク装置１では、連続した信号レベルの変化による記録信号ＲＳに、正弦波信号による同期信号ＳＹＮＣが多重化される。
【００９５】
さらにこのとき同期信号ＳＹＮＣは、他の変調信号Ｍ１〜Ｍ４に比して大きな振幅により変調信号に加算される。これにより記録信号ＲＳにおいては、他の変調信号Ｍ１〜Ｍ４による信号波形の変化に対して、この同期信号ＳＹＮＣによる信号波形の変化が大きく観察されるように生成される。
【００９６】
光ディスク装置１では、このようにして生成された記録信号ＲＳを基準にした光変調器７の動作により、レーザー光源６から出射されるレーザービームＬ０が強度変調され、その結果得られるレーザービームＬ１が回転するディスク原盤２に集光される。これにより光ディスク装置１では、露光軌跡の連続する幅の変化として同期信号ＳＹＮＣを重畳してなるディジタル情報ＤＩＮＦＯがディスク原盤２に記録される。
【００９７】
このようにして生成されたディスク原盤２においては、現像処理の後、電鋳処理等を経てマザーディスクが作成され、このマザーディスクを用いた一連の処理によりディスク基板が量産される。このようにして生成されるディスク基板においては、ディスク原盤２における露光軌跡に溝が形成され、この溝の形成されてなる側に反射膜、保護膜等を作成して光ディスク３０（図３）が量産される。かくするにつき光ディスク３０においては、この溝によりレーザービームのガイド溝であるグルーブが形成され、このグルーブの幅が記録信号ＲＳに応じて変化するように形成される。
【００９８】
これにより光ディスク３０においては、データの記録を中断して同期信号を記録する場合のような記録容量の低下を防止して確実に同期捕捉することが可能となる。
【００９９】
すなわち光ディスク３０は、光ディスク装置３１（図４）において、レーザービームを照射して得られる戻り光の受光結果よりグルーブの幅に応じて信号レベルが変化する再生信号ＳＵが検出され、この再生信号ＳＵの再生信号補正回路３６における信号レベルの補正により記録時における加算回路２２の出力信号（図１）と同等の再生信号ＧＲＦが検出される。
【０１００】
光ディスク装置３１では、この再生信号ＧＲＦが同期信号再生回路３７に入力され、ここで電圧制御型発振回路４０（図５）より出力されるデータ転送クロックＣＫ１を基準にして正弦波信号ＣＣ１、余弦波信号ＣＣ２が生成され、再生信号ＧＲＦと正弦波信号ＣＣ１、余弦波信号ＣＣ２がそれぞれ乗算されて乗算結果が積分回路４９、５０により積分され、これにより再生信号ＧＲＦに含まれる正弦波信号ＣＣ１、余弦波信号ＣＣ２と同相分の信号レベルが検出される。光ディスク装置３１では、このようにして検出される信号レベルより位相比較回路５１で再生信号ＧＲＦに含まれる同期信号ＳＹＮＣに対するデータ転送クロックＣＫ１の位相差が検出され、ループフィルタ４２を介してこの位相差が０となるように、すなわち再生信号ＧＲＦに含まれる同期信号ＳＹＮＣにデータ転送クロックＣＫ１が同期するように、電圧制御型発振回路４０におけるデータ転送クロックＣＫ１の周波数が補正される。これにより光ディスク装置３１では、ＰＬＬ回路構成の同期信号再生回路３７により、光ディスク３０に連続して記録された同期信号ＳＹＮＣにより同期捕捉することができ、簡易な構成により確実に同期捕捉することができる。
【０１０１】
さらにこのときこの同期信号ＳＹＮＣの周波数ｆ０を基本の周波数に設定して、データ転送用の正弦波信号及び余弦波信号の周波数ｆ１、ｆ２を基本周波数ｆ０の整数倍である２倍及び３倍に設定したことにより、同期信号ＳＹＮＣにデータ転送クロックＣＫ１が同期した場合に、これらデータ転送による変調信号によっては、積分回路４９、５０における積分結果には何ら影響を与えないようにすることができる。これによりこの実施の形態では、変調信号に同期信号を多重化して記録しても、確実に同期捕捉することができる。
【０１０２】
また他の変調信号に比して同期信号ＳＹＮＣの振幅を大きなものとしたことにより、このようにしてＰＬＬ回路構成により同期捕捉する際に、高いＳＮ比により位相差信号ＰＥを得ることができ、これによっても簡易かつ確実に同期捕捉することができる。
【０１０３】
光ディスク装置３１では、このようにして生成されたデータ転送クロックＣＫ１を基準にして、ディジタル情報ＤＩＮＦＯが再生される。すなわち光ディスク装置３１では（図６）、このデータ転送クロックＣＫ１より、記録時に生成した正弦波信号ＳＣ１、ＳＣ３、余弦波信号ＳＣ２、ＳＣ４と同等の正弦波信号ＳＷ１、ＳＷ３、余弦波信号ＳＷ２、ＳＷ４が副搬送波生成回路６０Ａ、６０Ｂ、６５Ａ、６５Ｂで生成され、これら正弦波信号ＳＷ１、ＳＷ３、余弦波信号ＳＷ２、ＳＷ４と再生信号ＧＲＦとの乗算結果が乗算回路６１Ａ、６１Ｂ、６６Ａ、６６Ｂで生成される。
【０１０４】
これら乗算回路６１Ａ、６１Ｂ、６６Ａ、６６Ｂの乗算結果は、それぞれ積分回路６２Ａ、６２Ｂ、６７Ａ、６７Ｂによりデータ転送クロックＣＫ１の周期で積分され、これによりディジタル信号ＤＤ０〜ＤＤ３の各ビットＤＤ０〜ＤＤ３の論理値に応じて信号レベルが変化する積分結果ｄｅｍ１〜ｄｅｍ４が検出される。さらにこの積分結果ｄｅｍ１〜ｄｅｍ４がレベル変換回路６４Ａ〜６８ＢによりＴＴＬレベルに変換された後、ビット数変換回路６９でラッチされて元のディジタル信号ＤＤ０〜ＤＤ３が再生され、このディジタル信号ＤＤ０〜ＤＤ３のビット配列が補正されて元のディジタル情報ＤＩＮＦＯが再生される。
【０１０５】
（３）実施の形態の効果
以上の構成によれば、直交する複数系統の搬送波信号を使用して複数系列の変調信号を生成し、この複数系統の変調信号を加算した記録信号によりグルーブの幅を連続的に変化させて所望のデータを記録する際に、データ転送クロックの再生基準である同期信号を記録信号に加算して記録することにより、簡易な構成により記録容量の低下を防止して確実に同期捕捉することができる。
【０１０６】
このとき同期信号を基準にして、この同期信号の周波数の整数倍の周波数による正弦波信号、余弦波信号により変調信号を生成したことにより、このような変調信号による影響を回避して確実に同期信号により同期捕捉することができる。
【０１０７】
また変調信号の振幅に比して同期信号の振幅を大きくしたことによっても、再生側において高いＳＮ比により同期捕捉することができ、これによっても簡易な構成で確実に同期捕捉することができる。
【０１０８】
（４）他の実施の形態
なお上述の実施の形態においては、２組の直交する正弦波信号、余弦波信号により変調信号を生成して加算することにより記録信号を生成する場合について述べたが、本発明はこれに限らず、種々の数による複数組の基準信号により振幅変調信号を生成して記録する場合、さらには単に正弦波信号だけ、余弦波信号だけを振幅変調して記録する場合等に適用して、上述の実施の形態と同様の効果を得ることができる。
【０１０９】
また上述の実施の形態においては、直交する正弦波信号、余弦波信号により変調信号を生成して記録する場合について述べたが、本発明はこれに限らず、各系統におけるデータ再生に十分なＳＮ比を確保できる場合、このような直交する関係の適用を排除することもできる。
【０１１０】
また上述の実施の形態においては、直交する正弦波信号、余弦波信号を振幅変調して変調信号を生成する場合について述べたが、本発明はこれに限らず、周波数変調により変調信号を生成して多重化する場合等にも広く適用することができる。
【０１１１】
また上述の実施の形態においては、グルーブの幅の変化により所望のデータを記録する場合について述べたが、本発明はこれに限らず、グルーブの蛇行、グルーブ壁面の蛇行、グルーブの深さの変化により記録する場合、さらにはグルーブとは逆の形状である細長い連続する突起（突条）を形成し、この突条の蛇行、壁面の蛇行、高さの変化により記録する場合等に広く適用することができる。
【０１１２】
また上述の実施の形態においては、情報記録面の連続した変化としてグルーブの幅の変化により所望のデータを記録する場合について述べたが、本発明はこれに限らず、例えば光磁気ディスクに適用して、情報記録面の連続した変化として所定の極性に磁化された領域の幅の変化、蛇行等により所望のデータを記録する場合にも広く適用することができる。
【０１１３】
また上述の実施の形態においては、情報記録面の連続した変化としてグルーブにより所望のデータを記録する場合にについて述べたが、本発明はこれに限らず、上述の記録信号をＰＷＭ（Pulse Width Modulation）等により変調して記録信号を２値信号に変換し、この記録信号によりレーザービームをオンオフ制御することによりピット列により所望のデータを記録する場合、さらにはマーク列により所望のデータを記録する場合にも広く適用することができる。
【０１１４】
また上述の実施の形態においては、レーザービームの照射により所望のデータを記録する場合について述べたが、本発明はこれに限らず、レーザービームに代えて電子線ビームにより所望のデータを記録する場合にも広く適用することができる。
【０１１５】
また上述の実施の形態においては、ディスク形状の情報記録媒体である光ディスクに所望のデータを記録する場合について述べたが、本発明はこれに限らず、カード形状の情報記録媒体に所望のデータを記録する場合等、種々の形状による情報記録媒体に所望のデータを記録する場合に広く適用することができる。
【０１１６】
【発明の効果】
上述のように本発明によれば、例えば直交する複数系統の搬送波信号を使用して複数系列の変調信号を生成し、この複数系統の変調信号を加算した記録信号によりグルーブ等を変化させて所望のデータを記録する場合に、データ転送クロックの再生基準の同期信号を記録信号に加算して記録することにより、簡易な構成により記録容量の低下を防止して確実に同期捕捉することができる。
【図面の簡単な説明】
【図１】本発明の実施の形態に係る光ディスク装置に適用される記録信号生成回路を示すブロック図である。
【図２】本発明の実施の形態に係る光ディスク装置を示すブロック図である。
【図３】図２の光ディスク装置による光ディスクを示す斜視図である。
【図４】図３の光ディスクを再生する光ディスク装置を示すブロック図である。
【図５】図４の光ディスク装置の同期信号再生回路を示すブロック図である。
【図６】図４の光ディスク装置のデータ再生回路を示すブロック図である。
【符号の説明】
１、３１……光ディスク装置、２……ディスク原盤、３……情報源、５……記録信号生成回路、７……光変調器、３０……光ディスク、３７……同期信号再生回路、３８……データ再生回路
【図１】
0004337223.tif 000022
【図２】
0004337223.tif 000023
【図３】
0004337223.tif 000024
【図４】
0004337223.tif 000025
【図５】
0004337223.tif 000026
【図６】
0004337223.tif 000027